(57)【特許請求の範囲】
【請求項１】
キャビネット本体と、ドラム式洗濯機を設置する据付台とを備え、前記据付台を、左右一対の側板と、それら側板の上端間に差し渡された天板と、側板の下端間に差し渡された底板とから構成し、その据付台を床面に設置した状態で前記キャビネット本体に収納して、据付台の天板の上面を、ドラム式洗濯機を床面から所定高さだけ高くなるようにして設置する洗濯機据え付け面として、この洗濯機据え付け面よりも下側の据付台の内部空間を小物類の収納空間としてなることを特徴とする住宅用のランドリーキャビネット。
【請求項２】
前記据え付け面の高さが、床面から３０〜４０cmである請求項１記載の住宅用のランドリーキャビネット。
【請求項３】
前記据付台の天板の後端部に、洗濯機のホースを通すための切欠を設けて、前記底板の奥行きを前記天板のほぼ半分とした請求項１又は２記載の住宅用のランドリーキャビネット。
【請求項４】
前記小物類の収納空間には、引き出し式のトレイを装着するようにしてなる請求項１から３のいずれかに記載の住宅用のランドリーキャビネット。
【請求項５】
前記洗濯機及び据付台の左右両側は、前記キャビネット本体のキャビネット側板によって囲まれるとともに、洗濯機上方のキャビネット側板間の空間には、１又は複数段の棚板を設けてなる請求項１から４のいずれかに記載の住宅用のランドリーキャビネット。
【発明の詳細な説明】
【０００１】
【発明の属する技術分野】
この発明は、主として住宅用のランドリーキャビネットであって、特に、垂直面方向に回転するドラムを備え、このドラム内への洗濯物の出し入れを前面側から行うようにしたドラム式洗濯機を設置するようにしたものに関する。
【０００２】
【従来の技術】
ドラム式洗濯機は、渦巻き攪拌式の洗濯機に比べ少ない水で洗えることから欧米では広く普及しているが、最近になって我が国でも家電各社が日本仕様にしたものを商品化しており、普及する兆しとなっている。
【０００３】
【発明が解決しようとする課題】
上記のように、これまで我が国では、渦巻き攪拌式洗濯機が主流であったため、洗濯機を設置するキャビネットもそれに合わせたものとなっており、ドラム式洗濯機をキャビネットに据え付けるには種々の不具合がある。特に、ドラム式洗濯機は、前面から洗濯物を出し入れするため、攪拌式洗濯機のように床面の防水パンの上にそのまま設置すると、腰をかがめて作業しなければならず、作業者の腰、膝の負担が大きいといった問題がある。
【０００４】
そこで、この発明は、ドラム式洗濯機を設置する場合に、その洗濯機を最も使いやすい高さに設置できるとともに、併せて、収納スペースを有効に利用するようにした住宅用のランドリーキャビネットを提供することを目的とするものである。
【０００５】
【課題を解決するための手段】
上記の課題を解決するため、本発明のランドリーキャビネットは、キャビネット本体と、ドラム式洗濯機を設置する据付台とを備え、前記据付台を、左右一対の側板と、それら側板の上端間に差し渡された天板と、側板の下端間に差し渡された底板とから構成し、その据付台を床面に設置した状態で前記キャビネット本体に収納して、据付台の天板の上面を、ドラム式洗濯機を床面から所定高さだけ高くなるようにして設置する洗濯機据え付け面として、この洗濯機据え付け面よりも下側の据付台の内部空間を小物類の収納空間としてなることを特徴としている。
【０００６】
具体的には、前記据え付け面の高さが、床面から３０〜４０cmとされている。また、前記据付台の天板の後端部に、洗濯機のホースを通すための切欠を設けて、前記底板の奥行きを前記天板のほぼ半分とした。さらに、前記小物類の収納空間には、引き出し式のトレイを装着するようにしている。さらにまた、前記洗濯機及び据付台の左右両側は、前記キャビネット本体のキャビネット側板によって囲まれるとともに、洗濯機上方のキャビネット側板間の空間には、１又は複数段の棚板を設けるようにしている。
【０００７】
【発明の実施の形態】
以下、本発明の一実施形態を図面に基づいて詳細に説明する。図１は、本発明の一実施形態に係る住宅用のランドリーキャビネットの斜視図、図２は、同じくその正面図、図３は、同じくその分解斜視図、図４は、据付台の斜視図である。
【０００８】
本実施形態に係る住宅用のランドリーキャビネットは、キャビネット本体(１)と、このキャビネット本体(１)内に収納されてドラム式洗濯機(２)を設置する据付台(３)とを備えている。
【０００９】
キャビネット本体(１)は、左右一対のキャビネット側板(５)(５)と、このキャビネット側板(５)(５)間に差し渡された複数段の棚板(６)(６)…とならなり、これら棚板(６)(６)…によってキャビネット本体(１)内に複数の収納室(７)(７)…が区画形成されている。キャビネット側板(５)(５)の上部間には、上下方向にスライドして上部の２つの収納室(７)(７)を開閉する開閉扉(８)が設けられている。また、キャビネット側板(５)には、タオルハンガー(９)等が取り付けられる。
【００１０】
そして、各棚板(６)(６)…及び開閉扉(８)は、適宜切断してその幅を調整することができるようになっている。また、各棚板(６)(６)…は、その高さ位置を任意に設定可能として、棚ダボ(10)(10)…を介してキャビネット側板(５)(５)に緊結されるようになっている。このため、各収納室(７)(７)…の大きさを任意に設定することができるとともに、高さや幅の異なる複数種類のドラム式洗濯機(２)に対応できるようになっている。
【００１１】
このキャビネット本体(１)は、洗面所の内壁材(12)側に固定した複数のダボ金具(11)(11)…に対して、キャビネット側板(５)(５)側に固定した係合部材(16)(16)…を、キャビネット側板(５)(５)の外表面側からの操作によって係合させることにより、内壁材(12)に直接固定されている。なお、キャビネット本体(１)を固定する内壁材(12)の表面には、アスベール等の防水性に優れた壁装材(15)(15)…が貼り付けられており、キャビネット本体(１)の背面部分の水仕舞を良好している。本実施形態は、新築の住宅に対してのランドリーキャビネットの設置例を示しているが、既築の住宅に対しては、クロス等の壁装材が貼り付けられた内壁材(12)にカールプラグを介してダボ金具(11)(11)…を固定するようにしている。
【００１２】
このようにして取り付けられたキャビネット本体(１)は、洗面所の床面(13)から天井面(14)に跨って配されている。従って、地震等の振動によってキャビネット本体(１)が転倒するといった危険性をなくすことができる。
【００１３】
据付台(３)は、左右一対の側板(20)(20)と、この側板(20)(20)の上端間に差し渡された天板(21)と、側板(20)(20)の下端間に差し渡された底板(22)とからなり、１００ｋｇ以上の荷重に耐えることができる剛性の高い構造とされて、キャビネット本体(１)における最下段の収納室(７)の底部に収納されている。そして、天板(21)の上面が、床面(13)から３０〜４０cmの高さ位置に配されて、ドラム式洗濯機(２)の据え付け面(24)とされている。また、この据え付け面(24)よりも下側の据付台(３)の内部空間が、収納空間(25)とされている。この据付台(３)における天板(21)及び底板(22)は、キャビネット本体(１)の棚板(６)(６)…や開閉扉(８)と同様に、適宜切断してその幅を調整することができるようになっている。
【００１４】
天板(21)には、その後端部にドラム式洗濯機(２)の排水ホース(30)を通すための切欠(31)が設けられており、この切欠(31)を貫通した排水ホース(30)は、防水処理が施された床面(13)の排水口に接続されるようになっている。
【００１５】
なお、底板(22)は、その奥行きが天板(21)のほぼ半分しかなく、床面(13)の排水口には干渉しないようになっている。給水ホースに関しては、給水栓が床面(13)にある場合には、排水ホース(30)と同様に切欠(31)を貫通させて給水栓に接続すれば良く、また給水栓が内壁面にある場合には、キャビネット側板(５)に形成した切欠を貫通させて給水栓に接続すれば良い。
【００１６】
そして、この据付台(３)の収納空間(25)には、雑巾やバケツ、物干しピンチ、或いは仕上げ剤や柔軟剤等の小物類を収納する引き出し式の扉(33)付き収納トレイ(34)が装着されている。この収納トレイ(34)は、防水処理が施されており、底板(22)と同様にその奥行きが天板(21)のほぼ半分程度しかなく、排水ホース(30)や排水口等に干渉しないようになっている。そして、収納トレイ(34)を収納空間(25)から取り外せば、収納空間(25)が開放して、排水ホース(30)の取付作業や水漏れ等の点検も簡単に行うことができるようになっている。
【００１７】
ドラム式洗濯機(２)は、この据付台(３)の据え付け面(24)上に設置されて最下段の収納室(７)に収納されるが、その収納室(７)を構成する棚板(６)、左右のキャビネット側板(５)(５)とは隙間をあけて配置されている。そして、これらドラム式洗濯機(２)周りの各隙間には、防振用の隙間パッキン(35)(35)…が介装されている。しかも、このドラム式洗濯機(２)は、防振ゴム等の防振材(36)を介して据え付け面(24)上に設置されており、これによってドラム式洗濯機(２)からの振動を吸収し易くなっている。
【００１８】
なお、本発明のランドリーキャビネットは、上記実施形態に限定されるものではない。例えば、図５に示すように、開閉扉(８)及び扉(33)付き収納トレイ(34)を廃止して、キャビネット本体(１)の各収納室(７)(７)…及び据付台(３)の収納空間(25)を開放するようにしても良い。この構造の場合、部品点数の削減により、大幅なコストダウンを図ることができる。
【００１９】
また、図６に示すように、キャビネット本体(１)の前面側に、キャビネット側板(５)(５)とほぼ同じ高さすなわち床面(13)から天井面(14)までの高さを有する観音開き式の開閉扉(41)(41)を取り付けて、各収納室(７)(７)…及び収納空間(25)のすべてを開閉するようにしても良い。この場合、ドラム洗濯機(２)も覆い隠すことができ、見た目を良好にすることができる。
【００２０】
さらに、図７に示すように、キャビネット本体(１)の外側にもう１枚の側板(42)を設けて、この側板(42)とこれに対向する側板(５)との間に複数の棚板(43)(43)を差し渡すことによって、新たに複数の収納室(45)(45)…を設けるようにしても良い。また、この実施形態においては、ドラム式洗濯機(２)が収納された最下段の収納室(７)よりも上側の収納室(７)(７)…を観音開き式の開閉扉(46)(46)によって開閉するようにし、さらに新たな収納室(45)(45)…のうち最上段の収納室(45)を小扉(47)によって開閉するようにしている。この場合、収納量を大幅に増やすことができる。
【００２１】
【発明の効果】
以上の説明から明らかなように、本発明のランドリーキャビネットによると、ドラム式洗濯機を床面から所定の高さ、具体的には３０〜４０cmの高さだけ高くなるように設置することができるので、従来のような腰をかがめての作業を強いられることがなく、腰や膝への負担が少ない楽な姿勢で作業を行うことができ、ドラム式洗濯機の使い勝手を格段に向上することができる。しかも、このドラム式洗濯機の据え付け面よりも下側の空間を、小物類の収納空間として有効に利用しているので、収納性に優れたランドリーキャビネットを提供することができる。
【００２２】
また、据付台の天板に、ホース挿通用の切欠を形成しているので、ドラム式洗濯機を据付台上に設置したときに、そのホース類を床面の給水栓や排水口に簡単に接続することができる。さらに、収納空間に引き出し式のトレイを装着することによって、小物類の収納や取り出しを簡単に行うことができるとともに、小物類によって床面等が汚れるといった不具合もなくすことができる。さらにまた、洗濯機上方のキャビネット側板間の空間に、棚板を設けて複数の収納空間を形成しているので、収納性をより一層向上することができる。
【図面の簡単な説明】
【図１】本発明の一実施形態に係るランドリーキャビネットの斜視図である。
【図２】同じくその正面図である。
【図３】同じくその分解斜視図である。
【図４】据付台の斜視図である。
【図５】他の実施形態に係るランドリーキャビネットの正面図である。
【図６】その他の実施形態に係るランドリーキャビネットの正面図である。
【図７】別の実施形態に係るランドリーキャビネットの正面図である。
【符号の説明】
(２)  ドラム式洗濯機
(３)  据付台
(５)  キャビネット側板
(６)  棚板
(13)  床面
(20)(20)  側板
(21)  天板
(24)  据え付け面
(25)  収納空間
(34)  トレイ
【図１】
0003805124.tif 000002
【図２】
0003805124.tif 000003
【図３】
0003805124.tif 000004
【図４】
0003805124.tif 000005
【図５】
0003805124.tif 000006
【図６】
0003805124.tif 000007
【図７】
0003805124.tif 000008